(57)【要約】【課題】  少なくとも排尿量を含む排尿情報を測定する生体情報測定便器において、給水源の低給水圧時にも有効な貯水式生体情報測定便器を提供するものである。  【解決手段】  貯水タンクに貯留された水を便器のポールに供給することによってポール内の溜水を下水配管に排出した後に、ボール溜水形成手段がポールに給水す測定を開始する水位を所定水位に形成し、被験者の排尿によって変化する溜水水位を計測することによって、排尿情報を測定する生体情報測定便器において、ボール溜水形成手段は、給水源からポールに連通する流路に設けられた開閉手段の開閉を制御することによって便器ボール内の水位を所定の水位に形成することを特徴とすることにより、給水源の給水圧の変動によって便器としての性能が変化することのない生体情報測定便器とすることが可能となる。【選択図】  図２
2008038407.tif 000002
【特許請求の範囲】
【請求項１】
被験者の尿を受けるボールと、
前記ボールと下水配管とを接続し、前記ボールと前記下水配管との空気の連通を遮断する溜水を形成するトラップと、
給水源から供給される水を貯水タンク内に貯留水として貯留するタンク貯水手段と、
前記貯留水を前記ボール内に供給することによってサイホン現象を発生させて前記ボール内の溜水を前記下水配管に排出させるボール溜水排出手段と、
前記ボール溜水排出手段によって前記ボール内の溜水が排出された後に、前記ボール内に給水することによって、前記ボール内に前記トラップの溢流水位より低い所定水位の溜水を形成するボール溜水形成手段と、
前記溜水の水位を測定する溜水水位測定手段と、
前記溜水水位測定手段によって測定される溜水水位の変化挙動から排尿情報を演算する排尿情報演算手段と、を有する生体情報測定装置において、
前記ボール溜水形成手段は、給水源から前記ボール内に連通する溜水補給流路と、
前記溜水補給流路に設けられ前記溜水補給流路を開閉する溜水補給流路開閉手段とを備え、
前記溜水補給流路開閉手段の開閉動作を制御することによって前記ボール内の溜水の水位を前記所定水位に形成する
ことを特徴とする生体情報測定便器。
【請求項２】
前記タンク貯水手段は、給水源に接続され前記貯水タンク内に開口するタンク給水管路と、前記タンク給水管路の途中に設けられ前記タンク給水管路を開閉するタンク給水弁とを備え、前記タンク給水弁は前記貯留水の水位に応じて移動する浮力体の浮力によって開閉される弁であることを特徴とする請求項１に記載の生体情報測定便器。
【請求項３】
前記タンク貯水手段は、前記貯水タンクの内部に設けられ、前記貯留水の水位より高い位置に開口した一端を有し、他端が前記貯留水供給流路に開口した管路であるオーバーフロー流路を備え、
前記溜水補給流路は、前記オーバーフロー流路に接続されていることを特徴とする請求項１又は２に記載の生体情報測定便器。
【請求項４】
前記溜水補給流路開閉手段の開閉動作の制御は、前記溜水補給流路開閉手段の開放時間を制御するものであることを特徴とする請求項１乃至３のいずれか１項に記載の生体情報測定便器。
【請求項５】
前記溜水補給流路開閉手段の開閉動作の制御は、前記溜水水位測定手段によって計測される溜水の水位の測定結果に基づいて行なわれることを特徴とする請求項１乃至４のいずれか１項に記載の生体情報測定便器。
【請求項６】
前記溜水水位測定手段は溜水水位による水圧を測定する圧力測定手段を有する
ことを特徴とする請求項１乃至５のいずれか１項に記載の生体情報測定便器。
【請求項７】
前記溜水水位測定手段は便器溢流面近傍に設けられ、溜水水位までの距離を測定する距離測定手段を有する
ことを特徴とする請求項１乃至６のいずれか１項に記載の生体情報測定便器。
【発明の詳細な説明】
【技術分野】
【０００１】
本発明は、給水圧の条件に捉われず排泄物の下水配管への洗浄・排出が可能な便器を使用して、溜水の水位位置制御を実現することに係り、特に溜水水位変化を測定して排尿情報測定値を得ることに好適な生体情報測定便器に関する発明である。
【背景技術】
【０００２】
従来の排尿情報測定値を得る生体情報測定便器には、便器のボールに排泄された尿の量を溜水の水位変化を計測することにより測定するものがある（例えば、特許文献１参照）。この便器はボールに水を供給する水圧源として供給される水道水の圧力を直接利用している。そして、トラップを介して下水配管に接続されているボール内の溜水に対して適当なタイミングでサイホン現象を発生させて溜水を下水配管に排出するゼット吐水と、その後に便器ボール面に向けて供給されるリム吐水とを適切に制御することにより溜水水位をトラップの溢流水位より低い所定の水位に形成して、この水位を測定開始水位とすることによって、実際に排泄された尿を溜めるための測定領域を確保している。
このような場合、ボール内の溜水を排出するためのサイホン現象を発生させるためにはゼット吐水ノズルに供給する水は充分な瞬間流量とする必要があることから、水道水の動水圧が極端に低い場所では適切な排出動作が行なえず、結果として生体情報測定便器の機能を果たすことができないという問題があった。
【０００３】
また、排泄された尿による溜水の水位変化を計測するためには、予め溜水水位をトラップの溢流水位より低い所定の水位に形成しておく必要がある。しかしながら、通常の貯水式便器では貯留された水をボール内に一気に供給することによってボール内の溜水を排出した後に、再びボール内に溜水を形成するために給水を行なうのであるが、この給水は給水源の給水圧の変動を受けても形成される溜水の水位が一定の水位とする必要があり、そのために通常はタンク内への再貯水と同期してトラップの溢流水位以上となる給水量にセットされて行なわれるため、形成される水位はトラップの溢流水位とならを得ず、供給される水もトラップより無駄に溢流するという問題があった。
そのため、便器ボール内の溜水水位を測定しながら溜水供給量を制御する貯水式便器もある（例えば、特許文献２参照。）。
しかし、この場合も溢流水位となるように過不足なく給水を行うことにより、便器洗浄後にボールに入替供給される溜水に無駄な溢流が発生しないようにしているものであり、排尿によって変化する溜水水位を測定すべく、溜水水位を溢流水位以下の所定水位とすることを目指したものではなかった。
【特許文献１】ＷＯ２００４−１１３６３０号公報
【特許文献２】特開平１１−３０３１７４号公報
【発明の開示】
【発明が解決しようとする課題】
【０００４】
本発明は、上記問題を解決するためになされたもので、本発明の課題は、給水源の圧力変動によって性能が変化することのない少なくとも排尿量を含む生体情報を測定する生体情報測定便器に関するものである。
【課題を解決するための手段】
【０００５】
上記目的を達成するために請求項１記載の発明によれば、
被験者の尿を受けるボールと、
前記ボールと下水配管とを接続し、前記ボールと前記下水配管との空気の連通を遮断する溜水を形成するトラップと、
給水源から供給される水を貯水タンク内に貯留水として貯留するタンク貯水手段と、
前記貯留水を前記ボール内に供給することによってサイホン現象を発生させて前記ボール内の溜水を前記下水配管に排出させるボール溜水排出手段と、
前記ボール溜水排出手段によって前記ボール内の溜水が排出された後に、前記ボール内に給水することによって前記ボール内に前記トラップの溢流水位より低い所定水位の溜水を形成するボール溜水形成手段と、
前記溜水の水位を測定する溜水水位測定手段と、
前記溜水水位測定手段によって測定される溜水水位の変化挙動から排尿情報を演算する排尿情報演算手段と、を有する生体情報測定装置において、
前記ボール溜水形成手段は、給水源から前記ボール内に連通する溜水補給流路と、
前記溜水補給流路に設けられ前記溜水補給流路を開閉する溜水補給流路開閉手段とを備え、
前記溜水補給流路開閉手段の開閉動作を制御することによって前記ボール内の溜水の水位を前記所定水位に形成する
ことを特徴とすることにより、
給水圧変動によって便器としての性能が変化することのない所定の排尿情報を測定することを可能としている。
【０００６】
また、請求項２記載の発明のよれば、前記タンク貯水手段は、給水源に接続され前記貯水タンク内に開口するタンク給水管路と、前記タンク給水管路の途中に設けられ前記タンク給水管路を開閉するタンク給水弁とを備え、前記タンク給水弁は前記貯留水の水位に応じて移動する浮力体の浮力によって開閉される弁であることを特徴とすることにより、
電力供給有無に左右されずに、低コストで貯水機能を実現することを可能としている。
【０００７】
また、請求項３記載の発明のよれば、前記タンク貯水手段は、前記貯水タンクの内部に設けられ、前記貯留水の水位より高い位置に開口した一端を有し、他端が前記貯留水供給流路に開口した管路であるオーバーフロー流路を備え、
前記溜水補給流路は、前記オーバーフロー流路に接続されていることにより、
タンク貯水式便器の給水流路に必要な逆流防止機能を構成を別途に設けることなく、溜水補給流路に付与することが可能となるため、構成を簡略化することができる。
【０００８】
また、請求項４記載の発明のよれば、前記溜水補給流路開閉手段の開閉動作の制御は、前記溜水補給流路開閉手段の開放時間を制御するものであることを特徴とすることにより、
簡便な機構と制御構成で排尿情報測定範囲を確保するために溜水水位をトラップ部の溢流水位以下に設定することを可能とした。
【０００９】
また、請求項５記載の発明のよれば、前記溜水補給流路開閉手段の開閉動作の制御は、前記溜水水位測定手段によって計測される溜水の水位の測定結果に基づいて行なわれることを特徴とすることにより、
下水配管内で圧力変動が発生して溜水水位が変化するような環境であっても、排尿情報測定範囲を確保するために溜水水位をトラップ部の溢流水位以下に設定することを可能とした。
【００１０】
また、請求項６記載の発明のよれば、前記溜水水位測定手段は溜水水位による水圧を測定する圧力測定手段であることを特徴とすることにより、
高精度な溜水水位測定と、それがもたらす高精度の排尿情報測定の実現を可能とした。
【００１１】
また、請求項７記載の発明のよれば、前記溜水水位測定手段は便器溢流面近傍に設けられ、溜水水位までの距離を測定する距離測定手段であることを特徴とすることにより、
便器の交換を実施することなく、各機能部材を後付けすることにより、既存の便器に対して排尿情報測定機能を付加することの実現を可能とした。
【発明の効果】
【００１２】
本発明によれば、便器のボールを収集容器として利用して給水源の給水圧の条件に左右されることなく排尿量や単位時間当たりの排尿速度（尿流率）などの排尿情報測定を行なえる排尿情報測定便器を得ることができる。
【発明を実施するための最良の形態】
【００１３】
以下、図面に基づいて、本発明の実施の形態について説明する。図１は本発明の第一実施形態である生体情報測定便器を示す斜視図、図２は図１に示す生体情報測定便器のシステムブロック図、図３は図１に示す生体情報測定便器の垂直断面図である。
【００１４】
図１に示すように、生体情報測定便器１００は、使用者の排泄物を受けて下水に排出する測定用便器１１１と、排尿情報測定ユニット１１２、制御手段１１３、便器給水装置７０などが内蔵されたキャビネット１１４と、測定用便器１１１の側方壁面に配置された操作・表示部１２０と、を備えている。測定用便器１１１は、使用者が着座するための便座１１５と、ボール１１６および便座１１５を開閉可能に覆う便蓋１１７を備えた衛生洗浄装置１２３が設置されている。操作・表示部１２０は、衛生洗浄装置１２３を操作するためのリモコン１１９と、排尿情報測定ユニット１１２を機能させるためのリモコン１２１と、排尿情報測定データを印刷するためのプリンタ１２２と、を備えている。
【００１５】
ここで、排尿情報測定ユニット１１２は、尿量などの排尿情報測定を行なうためのものであり、詳細は後述する。また制御手段１１３は、生体情報測定便器１００の便器としての各種動作を制御するものである。
また便器給水装置７０は、測定用便器１１１に対して便器洗浄水や、便器内に封水を形成する溜水を給水するものである。便器給水装置７０はキャビネット１１４内に収納せず、外部に露出した構成としても良い。なお、衛生洗浄装置１２３は、本発明に係る生体情報測定便器を構成する必須要件ではない。
【００１６】
図２，３に示すように、測定用便器１１１には、使用者の尿を受けるボール１１６と、ボール１１６と下水配管１３５とを連通するとともに、便器洗浄時等に溜水を下水配管１３５に排出した時以外は、下水配管１３５との連通を滞留水で遮断する水封を行なうための溜水を貯留するトラップ１２５が設けられている。そして、ボール１１６に水を供給する便器給水装置７０が接続されている。
【００１７】
便器給水装置７０は、測定用便器１１１に排泄物が混じったボール１１６内の溜水を下水配管へ排出するためや、ボール１１６内に下水配管との連通を封止のための溜水を形成するためにボール１１６に供給する水を制御するもので、ボール内の溜水（溜水は正確にはボールとトラップ内に存在するが、本発明では両者を合わせたものを以下、「ボール内の溜水」と呼ぶ）を下水配管１３５へ排出するための水を貯留水として貯める図示しないタンク貯水手段と、この貯留水をボール１１６内に向けて供給することによって発生するサイホン現象によってボール内の溜水を下水配管１３５へ排出するボール溜水排出手段１５０と、ボール溜水排出手段１５０によってボール内の溜水が排出された後にボール１１６内に給水することによって、溜水を再び形成するボール溜水形成手段１５５とを備えている。
【００１８】
本発明に係わるタンク貯水手段は、ボール１１６に給水する水を貯留水として貯留する貯水タンク１３４と、その貯水タンク１３４に貯留水の供給を行なうタンク給水手段１３０とを備えている。貯水タンク１３４内部は、底部に設けられたタンク貯留水流出口３６からボール１１６内に開口する給水ノズル１２４へと通じるボール給水流路１５１で、ボール１１６内部と連通されている。また、貯水タンク１３４内底部より立設され、その上端は通常の貯留水位より高く貯水タンク１３４の上縁よりは低い位置に開口を有し、下端はボール給水流路１５１に開口する管路で構成された本発明におけるオーバーフロー流路を構成するオーバーフロー管１５７を備えている。
オーバーフロー管１５７によって貯水タンク１３４内とボール１１６内とは常時連通している状態となっている。そのため、万一タンク給水弁２０が故障して貯水タンク１３４内への給水が停止されない状態になっても、所定の水位以上の水を直接、ボール給水流路１５１に排出することによって、貯水タンク１３４外に水が溢れないように構成されている。
【００１９】
また、タンク給水手段１３０は、一端を給水源に接続され他端にタンク内に開口するタンク給水口２４を備えるタンク給水管路１９と、タンク給水管路１９の途中に設けられてタンク給水管路１９を開閉するタンク給水弁２０と、本発明の浮力体としての浮き玉２２と、浮き玉２２とタンク給水弁２０とを連結する連結部材２１と、を備えている。ここでタンク給水弁２０と、連結部材２１と、浮き玉２２とは、貯水タンク１３４内に貯留される貯留水の量を制御する貯水量制御手段として機能している。即ち、後述するボール溜水排出手段１５０によって貯水タンク１３４内の貯留水が排出され水位が下がると、タンク給水弁２０は開放されてタンク給水管路１９から貯水タンク１３４内に給水が開始される。そして、給水に伴ってタンク内の水位が変化すると浮き玉２２が移動し、その浮力が連結部材２１によってタンク給水弁２０に伝達され、貯水タンク１３４内部の水位が所定の水位になるとタンク給水弁２０が閉止され、給水が停止されて所定量の水が溜められるように調整されている。
【００２０】
なお、本実施形態における浮力体である浮き玉２２の浮力を利用して給水弁の開閉を制御する方法は、タンク内水位の所定水位の監視と給水弁の開閉駆動を電気などの特段のエネルギ供給も必要とせずに同時に実現できる方法であり、貯水量制御手段として構成が簡素で安価である。しかし本発明に係わるタンク貯水手段が備える貯水量制御手段はこの方法に限定されるものではなく、例えば貯留水の水位を水位センサーで測定し、タンク給水弁２０の代わりに電磁弁式の開閉弁の開閉動作を制御する構成であってもよい。
【００２１】
また、ボール溜水排出手段１５０は、タンク底部に設けられボール給水流路１５１に連通する流出口３６と、流出口３６を開閉するフラッパー弁１５２と、貯水タンク１３４の外面に備えられた回動モータ３１と、回動モータ３１の回動力をフラッパー弁１５２に伝達可能に両者を連結するチェーン３４とを備えている。ここで、回動モータ３１の回動軸には、使用者が手動でもタンク内溜水を排出させるための回動操作を行うことが出来るように手動レバー３２が連接されている。
【００２２】
また、ボール溜水形成手段１５５は、タンク給水管路１９のタンク給水弁２０より上流側の位置から分岐されオーバーフロー管１５７に設けられた補給水口２５に接続された本発明における溜水補給流路を構成する補給水管路１５４と、補給水管路１５４の途中に設けられ補給水管路１５４を開閉する本発明における溜水補給流路開閉手段を構成する電磁弁１５６とを備えている。
ここで、補給水管路１５４は貯水タンク１３４の内部でタンク給水管路１９から分岐しているように図３では描かれているが、タンク給水弁２０より上流側の位置であれば貯水タンク１３４の外で分岐するものも含むものである。
【００２３】
また、本実施形態では補給水管路１５４はボール給水流路１５１に直接接続せずに、タンク内に開放端を持つ本発明におけるオーバーフロー流路であるオーバーフロー管１５７を経由して接続しているため、構造的にボール１１６内の汚水の逆流を防止するための構成であるエアギャップを構成することも兼ねている。また、タンク貯水式便器を測定用便器１１１として使用する場合にはタンク貯水式便器に必須な管路構成を利用することになるため、構成が簡略化できる。
なお、直接ボール給水流路１５１に接続する場合は、補給水管路１５４の途中に逆流を防止するための逆止弁の設置などの配慮が必要となる。
【００２４】
また、ボール１１６の底部には本発明の溜水水位測定手段を構成する溜水圧測定ユニットが設けられている。溜水圧測定ユニットは溜水Ｗによる圧力を計測するもので、ボール１１６内部に連通する圧力導管１５３と、圧力導管１５３に溜水圧測定センサー１５８とを備えている。
また、下水配管１３５内の圧力変動を測定するための本発明における下水圧変動測定手段を構成するものとして、排水ソケット１０９に下水圧測定センサー１６０が設けられている。
なお、本実施例において、溜水水位測定手段１５８と下水圧測定センサ１６０は、いづれも変動情報を直接測定する圧力センサーを想定している。
【００２５】
排尿情報測定ユニット１１２には、排尿情報測定に関する動作制御を行なう制御部以外に、使用する測定用便器１１１のボール１１６における溜水Ｗの水位と溜水量との関係を記憶する検量線記憶手段１３８，溜水圧測定センサー１５８によって計測された圧力変化から溜水Ｗの水位変化を算出して排尿量等の排尿情報を算出する排尿情報演算手段１３９、被験者である使用者の個人情報等を記憶する情報記憶手段１４０、および、下水圧測定センサー１６０によって計測された下水配管内で発生した圧力変動による影響量を算出して溜水水位算出値に対する補正演算を実施する溜水水位補正手段１４１が設けられている。
【００２６】
ボール溜水形成手段１５５がボール１１６に供給する水の供給量の制御方法としては、ボール溜水形成手段１５５を構成する電磁弁１５６の開放時間を予め定めておく方法が簡便である。さらに別な方法としては、ボール１１６に連通する溜水水位測定手段１５８の測定値をモニターしながら、電磁弁１５６の開閉を制御しても良い。
【００２７】
次に、図４を参照しながら、本実施形態の生体情報測定便器１００の動作について説明する。図４は図１に示す生体情報測定便器の動作シーケンスを示す図である。図４に示すように、使用者が生体情報測定便器１００が配置されたトイレ内に入室してリモコン１２１に対して準備操作を行うと、排尿情報測定ユニット１１２は本発明における溜水圧測定手段としての溜水圧測定センサー１５８の出力校正等の測定準備動作を実施する。測定準備が完了するとリモコン１２１に準備完了が報知されるので、使用者は脱衣して、便座１１５上に着座し、または立位でボール１１６に向かって排尿を開始する。この時の溜水Ｗの水位は測定を開始する所定水位である測定開始水位Ｙに形成されている。
【００２８】
使用者の尿がトラップ１２５内の溜水Ｗに流入すると、その水位が上昇することにより、溜水圧測定センサー１５８の圧力測定値が上昇する。この溜水圧測定センサー１５８の計測は使用者が排尿を終了してリモコン１２１に対して所定の終了操作を行なうまで継続される。所定の終了操作が行なわれると生体情報演算手段１３９は、計測された圧力変動値と記憶されている検量線とに基づいて、排尿量をはじめとする排尿情報を算出する。この場合、下水圧変動が発生しているとその影響で溜水水位は変化するため、溜水水位の演算に当たっては下水圧測定センサー１６０の計測値によって、溜水水位補正手段１４１は溜水圧測定センサー１５８の計測値から得られる溜水水位を常に下水圧変動がない状態の溜水水位に補正演算を実施する。
【００２９】
この時、使用者がリモコン１２１に所定の出力操作を行うと、測定値が印字された紙片がプリンタ１２２から出力される。また、測定した情報は情報記憶手段１４０に記憶される。情報記憶手段１４０は、ＩＤカードや半導体メモリーの他、本装置が設置された医療機関の院内ＬＡＮを介してサーバーに情報を伝送するものであっても良い。
【００３０】
この後、使用者がリモコン１２１に対して便器洗浄操作を行うと、ボール溜水排出手段１５０を構成する回動モータ３１が回動してチェーン３４を介して、フラッパー弁１５２が開放される。フラッパー弁１５２の開放により貯水タンク１３４内に貯留されていた貯留水は、ボール給水流路１５１を経由して給水ノズル１２４からボール１１６へ供給される。この給水によってボール１１６内の溜水の水位は、トラップ１２５の頂部である溢流水位Ｈを超えて満水水位Ｙとなり、トラップ１２５の内部は満水になる。これによってトラップ１２５内では下水配管と大気間でサイホン現象が発生してボール１１６内に排泄された尿混じりの溜水Ｗが排水ソケット１０９経由で下水配管へ排出される。
【００３１】
このサイホン現象によりボール１１６内は溜水Ｗがほとんど無くなり下水配管内とトイレが連通する、所謂、破封状態となるが、この状態の継続を解消するため、便器洗浄スイッチの操作から予め定められた時間経過すると、ボール溜水形成手段１５５を構成する電磁弁１５６が開放となり、ボール溜水供給管路１５７からオーバーフロー管１５４経由で給水源からの水がボール１１６内に補給される動作が開始される。
この給水動作は所定時間経過するまで引き続き行われ、所定時間経過後、ボール１１６内の溜水水位がトラップ１２５の溢流水位以下の所定水位となって給水は停止し、次回の測定を待つ通常の使用待機状態に復帰する。本実施形態ではこのときの所定水位が排尿情報測定時に被験者である使用者が排尿を開始する時の所定水位である測定開始水位Ｙとなる。
【００３２】
また、このとき測定開始水位Ｙはボール１１６とトラップ１２５内には一定量の溜水が貯留されて下水配管に対して封止される水位以上の水位が選定されているため、下水配管から悪臭や衛生害虫がトイレ内に侵入することに対する衛生性を確保される。このような一連の動作は自動的に行われるため、使用者は便器洗浄操作を行った後、トイレから自由に離室することができる。
【００３３】
なお、この場合にボール１１６とトラップ１２５内には溜水の水位を測定開始水位Ｙとする一定量の水しか供給されないため、供給された水が無駄にトラップ１２５を溢流することが無い。１回の排尿情報測定に当たって使用される水量はボール１１６内の溜水の排出に使用される量に限定されるため、使用水量の低減に有益である。
【００３４】
なお、本実施形態では回動モータ３１でフラッパー弁１５２を駆動する方式としたが、手動でフラッパー弁１５２を駆動する構成とする場合は、手動レバー３２自身にリミットスイッチなどの位置検出手段を設けて溜水補給流路開閉手段１５６を動作させるタイミングをとったり、或いは下水配管１３５内の圧力変動を測定するための下水圧測定センサ１６０で測定用便器１１１の排水による下水配管１３５内の圧力変動を検出することで溜水補給流路開閉手段を動作させるタイミングをとることも可能である。
【００３５】
なお、本実施形態では図３に示されているようにボール溜水形成手段１５５を構成する補給水管路１５４と、電磁弁１５６とはいづれも貯水タンク１３４内に配置されているが、本発明はこれに限らない。即ち、補給水管路１５４の給水源からの分岐点を排尿情報測定便器１００への配水管として、電磁弁１５６を貯水タンク１３４外に配置して、電磁弁１５６から下流側の補給水管路１５４を貯水タンク１３４内に引き込む構成としても良い。
また、ボール溜水形成手段１５５をこの構成とすれば、さらにボール溜水排出手段１５０を構成する回動モータ３１とその制御手段とを付加することによって、既存の便器の貯水タンクユニットを排尿情報測定便器１００の便器給水装置７０として再構成する事が容易になり、部品の共通化が図れるため新規の設備投資費用の抑制効果が期待できる。
【００３６】
図５は本発明の第二実施形態である生体情報測定便器の垂直断面図である。第一実施形態の溜水水位測定手段が、ボール１６に連通する管路に設けられた溜水圧力測定センサで水位を水圧で測定する圧力測定方式であったのに対して、本実施形態の溜水水位測定手段は便器溢流面近傍に設けられ、溜水水位までの距離を測定する距離測定手段で構成している。距離測定手段としては、超音波センサー、静電容量センサー、レーザーセンサーなどが使用可能である。溜水水位測定手段１５８として距離測定手段を採用した場合、第一の実施例で示したように便器溜水貯留部に測定のための穴を設ける必要がないことから、特に漏水防止面で信頼性が高い。また、溜水水位測定手段１５８を便器交換することなく、後付けすることが可能なため、既設の便器に対して排尿情報測定機能を付加することを実現可能とした。
【００３７】
図６は本発明の第三実施形態である生体情報測定便器の垂直断面図である。生体情報測定便器１００は、使用者の排泄物を受けて下水に排出する測定用便器１１１と、尿量測定などの排尿情報を測定する排尿情報測定ユニット１１２と便器給水装置７０で構成されており、前述した第一実施形態とは排尿情報測定ユニット１１２の構成以外は同じである。したがってここでは第一実施形態と異なる部分を以下に説明する。
【００３８】
ボール１１６の略底部には導圧路１６３が設けられ、開閉弁１６４を介して溜水水位測定手段を構成する溜水圧測定センサー１６８が連通している。また下水圧測定センサ１６０は排水ソケット１０９と連通している。溜水圧測定センサー１６８と下水圧測定センサ１６０を内蔵する排尿情報測定ユニット１１２は測定用便器１１１の傍に配置されている。また貯水タンク１３４と排尿情報測定ユニット１１２の間には給水路１６２が設けられている。貯水タンク１３４中の浄水は、排尿情報測定ユニット１１２に静水圧を利用して導かれ、開閉弁１６４と開閉弁１６６を介して測定配管の逆洗浄を実現している。貯水タンク１３４へのタンク給水弁２０への給水は吐水口空間を確保したものであり、導圧路１６３をボール１１６に連通させても、給水源の衛生性は確保されるように配慮されている。
【図面の簡単な説明】
【００３９】
【図１】本発明の第一実施形態である生体情報測定便器を示す斜視図である。
【図２】図１に示す生体情報測定便器のシステムブロック図である。
【図３】図１に示す生体情報測定便器の垂直断面図である。
【図４】図１に示す生体情報測定便器の動作シーケンスを示す図である。
【図５】本発明の第二実施形態である生体情報測定便器の垂直断面図である。
【図６】本発明の第三実施形態である生体情報測定便器の垂直断面図である。
【符号の説明】
【００４０】
１９…タンク給水管路
２０…タンク給水弁
２１…連結部材
２２…浮き玉
２４…タンク給水口
２５…補給水口
３１…回動モータ
３２…手動レバー
３４…チェーン
３６…タンク貯留水流出口
７０…便器給水装置
１００…生体情報測定便器
１０９…排水ソケット
１１１…測定用便器
１１２…排尿情報測定ユニット
１１３…制御手段
１１４…キャビネット
１１５…便座
１１６…ボール
１１７…便ふた
１１９…リモコン
１２０…操作・表示部
１２１…リモコン
１２２…プリンタ
１２３…衛生洗浄装置
１２４…給水ノズル
１２５…トラップ
１３０…タンク給水手段
１３４…貯水タンク
１３５…下水配管
１３８…検量線記憶手段
１３９…排尿情報測定手段
１４０…情報記憶手段
１４１…溜水水位補正手段
１５０…ボール溜水排出手段
１５１…ボール給水流路
１５２…フラッパー弁
１５３…導圧路
１５４…補給水管路
１５５…ボール溜水形成手段
１５６…電磁弁
１５７…オーバーフロー管
１５８…溜水圧測定センサー
１６０…下水圧測定センサー
１６２…給水路
１６３…導圧路
１６４…開閉弁
１６６…開閉弁
１６８…溜水圧測定センサー
Ｆ…満水水位
Ｈ…溢流水位
Ｈ１…破封水位
Ｗ…溜水
Ｘ…空水位
Ｙ…測定開始水位
Ｚ…排尿後水位
【図１】
2008038407.tif 000003
【図２】
2008038407.tif 000004
【図３】
2008038407.tif 000005
【図４】
2008038407.tif 000006
【図５】
2008038407.tif 000007
【図６】
2008038407.tif 000008